(57)【要約】【課題】非接触ＩＣカード機能が付加された携帯端末を開錠に利用する場合に、携帯端末のデータ通信機能を有効に利用してセキュリティを向上させる。【解決手段】携帯端末１０とホームサーバ３００とで共通のパスワードを記憶しておき、携帯端末１０がドア３０に接近したとき、携帯端末１０に付加された非接触ＩＣカード機能を利用して携帯端末１０内に記憶されたパスワードをドア側リーダライタ部３２で読み取る。この読み取られたパスワードとホームサーバ３００に記憶されているパスワードとが一致したら、ホームサーバ３００はロック機構３１の施錠を解除する。携帯端末の紛失等があった場合、その携帯端末以外の携帯端末およびホームサーバのパスワードを更新することにより、紛失等のあった携帯端末のパスワードを無効化する。【選択図】図２
2005307456.tif 000002
【特許請求の範囲】
【請求項１】
施錠対象物に取り付けられた、電子錠を含むロック機構と、
データ通信機能および非接触ＩＣカード部を有し開錠用パスワードを記憶した携帯端末と、
前記施錠対象物側に設置され、前記非接触ＩＣカード部との間で無線によるデータ通信を行う無線通信手段と、
データ通信機能を有するとともに開錠用パスワードを記憶し、この開錠用パスワードと前記無線通信手段により前記携帯端末側から得られたパスワードとを比較して、両パスワードの一致時に前記ロック機構の開錠を行う開錠制御手段とを備え、
前記携帯端末および前記開錠制御手段は、それぞれ現在自己に記憶されているパスワードを、前記データ通信機能により外部から与えられた開錠用パスワードで更新する機能を有することを特徴とする錠システム。
【請求項２】
前記開錠用パスワードの更新により、前記開錠制御手段の記憶する開錠用パスワードと特定の携帯端末の開錠用パスワードとを不一致状態にすることにより、当該特定の携帯端末の開錠機能を無効とすることを特徴とする請求項１記載の錠システム。
【請求項３】
前記開錠用パスワードは電子メールにより送受信されることを特徴とする請求項１または２記載の錠システム。
【請求項４】
前記開錠用パスワードの比較とは別に、前記携帯端末の非接触ＩＣカード部と前記開錠制御手段との間で個人認証を行う手段を備えたことを特徴とする請求項１または２記載の錠システム。
【請求項５】
通信ネットワークを介してデータを送受信するデータ通信手段と、
少なくとも開錠用パスワードを記憶する記憶手段と、
前記データ通信手段を介して得られた開錠用パスワードにより前記記憶手段に記憶されている開錠用パスワードを更新するパスワード更新手段と、
無線による短距離無線通信を行う非接触ＩＣカード機能を有し、外部のリーダライタ部との短距離無線通信時に前記記憶手段に記憶されている開錠用パスワードを送信する非接触ＩＣカード部と、
を備えたことを特徴とする携帯端末。
【請求項６】
通信ネットワークを介してデータを送受信するデータ通信手段と、
少なくとも開錠用パスワードを記憶する記憶手段と、
前記記憶手段に記憶されている開錠用パスワードを、前記データ通信手段を介して得られた開錠用パスワードで更新するパスワード更新手段と、
外部から開錠用パスワードを受信したとき、この開錠用パスワードと前記記憶手段に記憶されている開錠用パスワードとを比較して、両開錠用パスワードの一致時に開錠指示を出力する制御手段と、
を備えたことを特徴とするサーバ。
【請求項７】
通信ネットワークを介してデータを送受信するデータ通信機能および非接触ＩＣカード機能を有する携帯端末において実行されるコンピュータプログラムであって、
電子メールの受信を監視するステップと、
電子メールの受信時にその電子メールが開錠用パスワードの変更を指示する電子メールであるか否かをチェックするステップと、
開錠用パスワードの変更を指示する電子メールの受信内容から開錠用パスワードを抽出するステップと、
メモリに記憶されている開錠用パスワードを前記抽出された開錠用パスワードで更新するステップと、
前記非接触ＩＣカード機能による開錠指示時に前記メモリから前記開錠用パスワードを読み出して無線出力するステップと、
を実行することを特徴とするコンピュータプログラム。
【発明の詳細な説明】
【技術分野】
【０００１】
本発明は、データ通信機能および非接触ＩＣカード機能を備えた携帯端末を利用して、電子錠の開錠を行う錠システムに関するものである。
【背景技術】
【０００２】
自宅等のセキュリティのためにドアの施錠および開錠には種々の方式が提案され、また実用化されている。一般的な機械的構造の鍵を用いる開錠の他、プッシュボタンによるパスワード入力、指紋、声紋、虹彩、静脈等のパターンの一致を利用したバイオメトリクス認証による電子錠の開錠が知られている。
【０００３】
また、近年、外部リーダライタ部との間で無線通信によりカード利用通信を行うことができる非接触ＩＣカードを用いた交通定期券による改札の入退場管理が実用化され、企業等においては非接触ＩＣカードを組み込んだ社員証による職域への入退場管理も行われるようになってきている。
【０００４】
特許文献１には携帯端末から識別信号を送信し、その識別信号が電子錠を備えたドアに接続された受信装置に保存された識別信号と一致したとき開錠する錠システムを開示している。これは、非接触ＩＣカード機能を携帯電話機に付加することにより実現しうる。
【特許文献１】特開２００２−３３９６０８号公報
【発明の開示】
【発明が解決しようとする課題】
【０００５】
自宅等でのドアの施錠・開錠に関して、従来の機械的構造の鍵を用いる開錠方法では、いわゆるピッキング等の操作により不正な行為により開錠されることが問題となっている。パスワードを入力して開錠を行う方法では、パスワードを忘れたり、他者に漏洩したりするという問題がある。電子錠にバイオメトリクス認証を組み合わせる方法は認証効果は高いと考えられるが、現状では比較的コストが高いという問題がある。
【０００６】
非接触ＩＣカード機能が付加された携帯端末を開錠に利用するものは、その用途が多岐に渡ると考えられるので、コスト面では有利であるが、当該端末の紛失、盗難の際には、その端末が第三者により不正に利用されるおそれがある。
【０００７】
本発明はこのような背景においてなされたものであり、その目的は、非接触ＩＣカード機能が付加された携帯端末を開錠に利用する場合に、携帯端末のデータ通信機能を有効に利用してセキュリティを向上させることができる錠システム、携帯端末、サーバおよびコンピュータプログラムを提供することにある。
【課題を解決するための手段】
【０００８】
本発明による錠システムは、施錠対象物に取り付けられた、電子錠を含むロック機構と、データ通信機能および非接触ＩＣカード部を有し開錠用パスワードを記憶した携帯端末と、前記施錠対象物側に設置され、前記非接触ＩＣカード部との間で無線によるデータ通信を行う無線通信手段と、データ通信機能を有するとともに開錠用パスワードを記憶し、この開錠用パスワードと前記無線通信手段により前記携帯端末側から得られたパスワードとを比較して、両パスワードの一致時に前記ロック機構の開錠を行う開錠制御手段とを備える。前記携帯端末および前記開錠制御手段は、それぞれ現在自己に記憶されている開錠用パスワードを、前記データ通信機能により外部から与えられた開錠用パスワードで更新する機能を有する。
【０００９】
非接触ＩＣカード部は開錠用パスワードを無線出力して施錠対象物の開錠を指示する。一方、携帯端末および開錠制御手段は、データ通信機能により開錠用パスワードを送受信して、開錠用パスワードの更新を行う。
【００１０】
前記開錠用パスワードの更新により、前記開錠制御手段の記憶する開錠用パスワードと特定の携帯端末の開錠用パスワードとを不一致状態にすることにより、当該特定の携帯端末の開錠機能を無効とすることができる。
【００１１】
前記開錠用パスワードは、電子メールにより送受信することができる。この電子メールは好ましくは暗号化される。
【００１２】
前記開錠用パスワードの比較とは別に、前記携帯端末の非接触ＩＣカード部と前記開錠制御手段との間で個人認証を行う手段を備えてもよい。これにより、開錠に二重のセキュリティが掛かることになる。
【００１３】
本発明による携帯端末は、通信ネットワークを介してデータを送受信するデータ通信手段と、少なくとも開錠用パスワードを記憶する記憶手段と、前記データ通信手段を介して得られた開錠用パスワードにより前記記憶手段に記憶されている開錠用パスワードを更新するパスワード更新手段と、無線による短距離無線通信を行う非接触ＩＣカード機能を有し、外部のリーダライタ部との短距離無線通信時に前記記憶手段に記憶されている開錠用パスワードを無線出力する非接触ＩＣカード部とを備えたことを特徴とする。
【００１４】
本発明によるサーバは、通信ネットワークを介してデータを送受信するデータ通信手段と、少なくとも開錠用パスワードを記憶する記憶手段と、前記記憶手段に記憶されている開錠用パスワードを、前記データ通信手段を介して得られた開錠用パスワードで更新するパスワード更新手段と、外部から開錠用パスワードを受信したとき、この開錠用パスワードと前記記憶手段に記憶されている開錠用パスワードとを比較して、両開錠用パスワードの一致時に開錠指示を出力する制御手段とを備えたことを特徴とする。
【００１５】
本発明によるコンピュータプログラムは、通信ネットワークを介してデータを送受信するデータ通信機能および非接触ＩＣカード機能を有する携帯端末において実行されるコンピュータプログラムである。このコンピュータプログラムは、電子メールの受信を監視するステップと、電子メールの受信時にその電子メールが開錠用パスワードの変更を指示する電子メールであるか否かをチェックするステップと、開錠用パスワードの変更を指示する電子メールの受信内容から開錠用パスワードを抽出するステップと、メモリに記憶されている開錠用パスワードを前記抽出された開錠用パスワードで更新するステップと、前記非接触ＩＣカード機能による開錠指示時に前記メモリから前記開錠用パスワードを読み出して無線出力するステップとを実行する。
【発明の効果】
【００１６】
非接触ＩＣカード機能を開錠に利用する携帯端末において、そのデータ通信機能を有効に利用することにより、通信が可能な範囲で必要時に場所や時間を選ばずに、目的の携帯端末等に対してのみ開錠用パスワードを遠隔的に変更することができる。これによって、比較的容易かつ迅速に、特定の携帯端末の開錠機能を停止させることができる。
【００１７】
開錠用パスワードは携帯端末内に記憶しておき、非接触ＩＣカード機能の利用時に自動的に読み出して使用されるようにすることにより、ユーザは開錠用パスワードを記憶しておく必要はない。
【００１８】
開錠用パスワードの比較とは別に、携帯端末の非接触ＩＣカード部と開錠制御手段との間で個人認証を行う手段を備えることにより、開錠に関して二重のセキュリティを掛けることが可能となる。
【００１９】
非接触ＩＣカード機能が付加された携帯端末の用途は多岐に及び、また、ホームサーバの用途も種々考えられるので、ドア等の開錠のみを目的とするものに比べて低コストで実現できる。
【発明を実施するための最良の形態】
【００２０】
以下、図面を参照しながら本発明の好適な実施の形態について詳細に説明する。
【００２１】
図１は、本発明の錠システムの概略構成を示す図である。このシステムは、施錠対象物の一例として、電子的制御により施錠および開錠を行うことができる電子錠を含むロック機構３１および非接触ＩＣカードのリーダライタ部３２を備えた、家屋のドア３０と、このリーダライタ部３２と接続され所定の情報の授受を行うとともに、ロック機構３１の制御を行うホームサーバ３００と、リーダライタ部３２との間で非接触ＩＣカード機能を利用した無線通信を行うとともにホームサーバ３００との間で電子メールのような手段によりデータ通信を行う複数の携帯端末１０ａ〜１０ｄを備える。非接触ＩＣカード技術としては例えばソニー株式会社が開発した「ＦｅｌｉＣａ」（ソニー株式会社の登録商標）を利用することができる。
【００２２】
なお、リーダライタ部３２は、非接触ＩＣカードの短距離無線通信の可能な範囲内でドア３０の近傍に設けられれば足り、必ずしもドア３０に取り付けられる必要はない。本実施の形態におけるホームサーバ３００は、通信ネットワークを介した電子メールの送受信機能を有するとともに、ロック機構３１の少なくとも開錠動作を制御する開錠制御手段として機能する。勿論、ホームサーバ３００は他の制御対象（図示せず）の制御に併用されてもよい。携帯端末１０（１０ａ〜１０ｄを総称）は、携帯電話の基地局等を介した電波による通信により少なくとも電子メール等のデータ通信を行う機能を有するとともに、非接触ＩＣカード機能による短距離間での無線（この例では電波）によるデータ通信を行う機能を有する。
【００２３】
本実施の形態では、複数の携帯端末１０ａ〜１０ｄは、例えば、ドア３０を備えた家屋や部屋を共用する組織（例えば家族）の各メンバにより所有されることを想定している。非接触ＩＣカードには個人認証機能が備えられ、非接触カード機能が付加された各携帯端末はリーダライタ部３２に接近したとき、リーダライタ部３２またはホームサーバ３００が認証情報に基づく認証処理を行うことにより、その所有者が正当な利用者であるか否かをチェックすることができる。これによって、登録された特定の非接触ＩＣカード（ひいてはその機能を内蔵する携帯端末）のみが、特定のロック機構３１の開錠を行うことが許容される。そのために初期的な登録作業が必要であるが、その登録作業自体は既知であり、かつ本発明と直接関係しないので、ここでは詳述しない。本実施の形態では、この第１の認証機能に加えて、パスワードを用いた第２の認証機能を採用する。このパスワード（ＰＷ１）は、携帯電話のデータ通信機能、ここでは電子メール機能を用いることにより、各メンバーの携帯端末およびホームサーバに通知し、それぞれの所定の記憶領域に記憶させておく。
【００２４】
本パスワードは、通信の過程で閲覧されたりすることのないように、実施の形態では、暗号化する。暗号化の方法として、パスワードを構成するデータまたはファイル単位に暗号化するか、メール単位に暗号化するかは問わない。本発明における携帯端末に保存するパスワードは、その利用時にユーザがキー入力する必要はなく、自動的に利用されるので、ユーザが記憶しておく必要はない。
【００２５】
パスワード通知のための電子メールの発信動作は、通常、いずれかのメンバーの携帯端末またはメールサーバから行われることが普通であると考えられるが、各携帯端末およびホームサーバに対して電子メールを送信できる任意の電子装置（例えばパーソナルコンピュータ）から行うことも可能である。いずれにせよ、紛失した携帯端末を用いて第三者が不正にパスワードを変更することを防止するために、パスワード変更メールの作成および送信を行うためには、さらに別のユーザ認証を行うことが好ましい。この別のユーザ認証は、第２のパスワードを利用するのが一般的と考えられるが、携帯端末の機能が許せば指紋認証等の別の認証方法を利用してもよい。また、さらに別のユーザ認証として、パスワード変更メールを受信する側において、そのメールの送信者（メールアドレス）が予め定めた者であるか否かを判断し、そうである場合にのみ、そのパスワード変更メールを有効なものとみなすようにすることができる。この場合、それ以外の送信者からのメールはたとえパスワード変更メールであっても無効とする。これによって、パスワード変更メールの送信は限られた端末またはユーザアカウントからしか行えなくなるが、セキュリティレベルはさらに向上する。
【００２６】
開錠用に登録済みの非接触ＩＣカード機能を備えた携帯端末をドア３０のリーダライタ部３２にかざす（接近させる）ことにより、リーダライタ部３２とのデータ通信が始まり、非接触ＩＣカード機能による個人認証および本実施の形態でのパスワード照合を行う。個人認証の結果がＯＫで、かつ、携帯端末内に保存された開錠用のパスワードとホームサーバ内に保存された開錠用のパスワードが一致したとき、ホームサーバ３００からの指示によりロック機構３１の施錠状態が解除（すなわち開錠）される。
【００２７】
なお、本実施の形態におけるロック機構３１の施錠の態様は特に問わない。手動での施錠、ドア３０の閉鎖時の自動施錠、携帯端末の非接触ＩＣカード機能を利用した施錠、ホームサーバ３００からの指示による施錠、これらの組み合わせ、等任意の態様を採用することができる。ドア３０の閉鎖時の自動施錠等のためには、特に図示しないが既存のドアの開閉センサを利用する。携帯端末の非接触カード機能を利用した開錠と施錠の動作の切換は、ロック機構３１が現在、施錠状態にあるか否かに基づいて行うことができる。施錠時にはパスワードは用いる必要はない。
【００２８】
図２に示すように、特定のメンバの携帯端末１０（ここでは１０ｃ）について、その紛失等の理由により、その開錠機能を停止したい場合には、例えば、当該携帯端末以外の携帯端末およびホームサーバに対して新たなパスワード（ＰＷ２）を含むパスワード変更用メールを送信することにより、パスワードの更新を行う。これは新たなパスワードを受信しない携帯端末にとって、そのパスワードが無効化されたことを意味する。すなわち、開錠機能を停止したい携帯端末１０ｃのみパスワードの更新が行われないため、当該携帯端末ではパスワード不一致となり、ロック機構３１の施錠の解除を行うことができなくなる。パスワード変更用メールを送信した相手のみ開錠が許可される。開錠機能を停止したい携帯端末１０の個数は１台に限るものではなく、複数台であってもよい。
【００２９】
なお、理論的には開錠機能を停止したい携帯端末に対してのみ現在と異なるパスワードを無線出力してパスワードを変更させることによっても同じ目的が達成できる。しかし、正規の利用者の手を離れた携帯端末については電話の通信機能を停止する等の措置が取られる等、そのパスワードを変更させることができなくなる場合も想定される。そこで本実施の形態では、開錠機能を停止したい携帯端末以外の端末およびホームサーバのパスワードを更新することとする。但し、本発明は、開錠機能を停止したい携帯端末のみパスワードを変更することを排除するものではない。
【００３０】
図３に、本発明の非接触ＩＣカード機能を実装した携帯端末１０の一例としての携帯電話機のブロック構成図を示す。
【００３１】
この携帯端末１０は、制御部５を中心とし、これに対してデジタル信号処理部３、表示部６、操作部７、外部Ｉ／Ｆ部８、非接触ＩＣカード部２０が接続されて構成される。制御部５は、携帯電話機の機能を実現するための主要部であり、図示しないが、ＣＰＵ、ＥＥＰＲＯＭ、Ｆｌａｓｈ  ＲＯＭ、ＳＲＡＭ、等で構成される。制御部５は、本実施の形態では、さらに非接触ＩＣカード部２０との間でコマンドやデータの授受を行うためのカードインタフェースモジュール５１を含む。
【００３２】
デジタル信号処理部３は、マイク１５を接続した音声入力部１、スピーカ１６を接続した音声出力部２、アンテナ１２を接続したＲＦ入出力部４とそれぞれ接続され、デジタル信号のエンコード、および、デジタル信号へのデコード等を行うための部位であり、ＤＳＰ（Digital Signal Processor）を中心とした畳み込み符号化、スロットインターリーブ、遅延検波、畳み込み復号化、等の専用回路で構成される。音声入力部１は、マイク１５からのアナログ音声信号をデジタル信号に変換する部位であり、マイクアンプ、フィルタ、Ａ／Ｄ変換器、等で構成される。音声出力部２は、受信したデジタル音声信号をスピーカ駆動するための部位であり、Ｄ／Ａ変換器、フィルタ、スピーカアンプ、等で構成される。ＲＦ入出力部４は、高周波送受信を行う部位であり、直交変調器、ゲインアンプ、パワーアンプ、ダイバーシティー、ミキサー、ＩＦ復調器、等で構成される。
【００３３】
表示部６は、ユーザに対して情報を表示出力する部位であり、ＬＣＤドライバ、ＬＣＤ表示デバイス、等で構成される。但し表示デバイスはＬＣＤに限るものではない。操作部７は、ユーザが携帯端末１０に対して操作情報を入力するための部位であり、キーボード、ＪＯＧダイヤル、等で構成される。外部Ｉ／Ｆ部８は、外部装置との間のインタフェースを提供する部位であり、通信インターフェース回路、１６ピンコネクタ、等で構成される。電源部９は、バッテリ電源を基に各ブロックに必要な電力を発生、供給する部位であり、電源回路、バッテリーへの充電回路、および、過電流過電圧保護回路、等で構成される。
【００３４】
非接触ＩＣカード部２０（通常ＩＣ化されている）は、制御部５のカードインタフェースモジュール５１と接続され、内部に専用のＣＰＵ２１、データやプログラム等を保持する再書き込み可能な不揮発性メモリであるＦｌａｓｈ  ＲＯＭ（ＭＥＭ）２２、リーダライタ（Ｒ／Ｗ）モジュール２３、その他図示しないインタフェース等を備える。非接触ＩＣカード部２０は、非接触型ＩＣカードの無線通信のためのアンテナ１１を介してドア３０のリーダライタ部３２との間でコマンドやデータ等の授受を行う。本実施の形態では、制御部５またはＣＰＵ２１が本発明の端末におけるパスワード更新手段を構成する。
【００３５】
カードインタフェースモジュール５１は、制御部５の一部として組み込まれたものであり、ユーザと非接触ＩＣカード部２０との間でのユーザインタフェースと、非接触ＩＣカードインタフェースを兼ね備えたソフトウェアモジュールである。
【００３６】
本実施の形態では、携帯端末が外部リーダライタ部３２に接近したとき非接触ＩＣカード部２０が直ちに開錠用パスワードを出力できるように、非接触ＩＣカード部２０内のメモリ２２に格納する。（但し、携帯端末本体側のメモリに格納することも可能である。）
【００３７】
ドア３０のリーダライタ部３２は、非接触ＩＣカード部２０との間でコマンドやデータを授受するためのものである。ドア３０のリーダライタ部３２は、常時または周期的に所定の電波信号を発信し、これを受信した携帯端末側との間で必要なデータが授受され、個人認証が行われるとともにパスワード照合が行われる。
【００３８】
図４に、ホームサーバ３００のハードウェア構成の概略を示す。本発明における制御手段およびパスワード更新手段を構成するＣＰＵ３１０は、ＯＳ(Operating System)のような制御プログラムおよび各種アプリケーションプログラムを実行し、サーバ各部の制御を行う。ＲＯＭ３１１は、ＣＰＵ３１０が実行するプログラムや演算用のパラメータのうちの固定的なデータを格納する。ＲＯＭ３１１は、前述のような再書き込み可能な不揮発性メモリを含んでもよい。ＲＡＭ３１２は、ＣＰＵ３１０の作業領域やデータの一時記憶領域を提供する。ＲＯＭ３１１およびＲＡＭ３１２は、バス３３０を介してＣＰＵ３１０に接続される。キーボードなどの入力装置３１４、ＣＲＴ，液晶ディスプレイなどの表示装置３１５、ハードディスク装置，光磁気記録装置，ＣＤ−ＲＯＭ等の外部記憶装置３１６は、インタフェース３１３を介してバス３３０に接続されている。ＲＯＭ３１１の役割が外部記憶装置３１６で代替される場合には、ＲＯＭ３１１は必須ではない。バス３３０は通信部３２０を介して、インターネット等の通信ネットワークと接続される。さらに、入出力インタフェース部３１８を介してロック機構３１およびリーダライタ部３２に接続される。本実施の形態におけるパスワードを記憶する領域は、ＲＡＭ３１２、ＲＯＭ３１１、外部記憶装置３１６のいずれかの所定の領域に保存される。
【００３９】
図５は、本実施の形態におけるパスワード変更用メール４００の内容例を示している。メールの構成は通常どおり、あて先（Ｔｏ）４０１、送信者（Ｆｒｏｍ）４０２、主題（Ｓｕｂ）４０３、および本文（Ｂｏｄｙ）４０４からなっている。本実施の形態では、パスワード変更用メール４００とその他のメールとを、所定のキーワード（図の例ではpasswordchange）が主題４０３に記載されているか否かで識別する。本文４０４には、実際のパスワードが記入される。このメールは好ましくは暗号化して送信される。主題４０３へのキーワードの記載に代えて、本文４０４にキーワードを記載するようにしてもよい。また、本文４０４内へのパスワードの記載に代えて、主題４０３に記載したり、メールの添付書類にパスワードを記載したファイルを添付するようにしてもよい。この場合、添付ファイルを暗号化することが望ましい。いずれにせよ、何をどこに記載するかは予め定めておけばよい。
【００４０】
図５に示したようなパスワード変更メールは通常のメール作成画面において作成することができるが、携帯端末において、図６、図７に示すような特別なユーザインタフェース画面６００を設けてこの画面を利用することによりメール作成に不慣れなユーザに対する利便を図るようにしてもよい。
【００４１】
図６（ａ）は、パスワードを変更する相手端末を指定するための画面である。この例では、端末にあるアドレス帳（電話帳）を利用する例を示している。通常、アドレス帳には相手の名前やメールアドレスが対応づけて登録されている。したがって、図６（ｂ）のようにプルダウンメニュー６０１等のメニューに相手の選択肢を含めてユーザに相手を指定させることができる。メニューから相手が選択されたら、その相手に対応づけられたメールアドレスがアドレス帳から確認されて、パスワード変更メールのあて先に設定される。この処理を複数回繰り返すことにより、複数の相手をあて先に指定することができる。未登録の相手については、メールアドレス入力欄６０２に直接メールアドレスを入力することもできる。
【００４２】
図７は、図６の画面での相手の指定が終了した後に表示されるパスワード入力画面６１０の例を示している。この画面でユーザは入力欄６１１にパスワードを構成する英数字を入力する。この入力されたパスワードは、パスワード変更用メールの本文に入力される。なお、パスワード変更用メール４００の送信者の欄４０２には送信者のメールアドレスが自動的に入力され、主題４０３の欄には自動的に前記所定のキーワード”passwordchange”が自動的に入力される。
【００４３】
図８は、本実施の形態におけるキー情報照合のために、携帯端末１０と、リーダライタ部３２およびホームサーバ３００の処理および通信の手順を示したフローチャートである。
【００４４】
ドア側リーダライタ部３２に対して端末１０が接近すると、端末１０のリーダライタ部２３がアンテナ１１を介してドア側リーダライタ部３２の発する所定信号を検出し（Ｓ１１）、所定の情報の授受により個人認証が行われる（Ｓ１２、Ｓ２１）。そのためには、例えば、端末に記憶されたユーザ（端末１０または非接触ＩＣカード部２０）固有の識別情報とホームサーバ３００に登録された複数の識別情報とを照合し、一致する識別情報が存在するか否かを確認する。
【００４５】
認証結果がＯＫであれば（Ｓ１３、Ｓ２２）、端末１０は自己が保持しているパスワードをホームサーバ３００側へ送信し（Ｓ１４）、ホームサーバ３００はこれを受信する（Ｓ２３）。ホームサーバ３００は、受信したパスワードを、自己の保存するパスワードとを比較する（Ｓ２４）。両パスワードが不一致であれば（Ｓ２５）、ロック機構３１に対して開錠指示を発行することなく、端末１０に対してエラー報知を行う（Ｓ２６）。パスワードが一致したときは、ロック機構３１に対して開錠指示を発行し（Ｓ２７）、開錠の要求が首尾よく受け付けられたことを端末に報告する（Ｓ１５）。端末ではエラー報知およびＯＫ報知を、表示または音等によって、それぞれ異なる形態でユーザに通知する。端末での報知（Ｓ１５）に代えて、または加えて、ロック機構３１またはリーダライタ部３２側で音等による報知を行うようにしてもよい。
【００４６】
図９は、パスワード変更時の複数の端末およびホームサーバの動作例を表したフローチャートである。ここでは、端末１０として、端末１０ａと端末１０ｂの２台の端末のみを示すが、さらに多くの端末が関与してもよい。また、パスワード変更用メールをメンバーの端末から送信する例を示すが、後述するユーザ認証（Ｓ３２）での問題がない限り、メール機能を有する任意の端末から発信することも可能である。
【００４７】
今、端末１０ａのユーザが、端末１０ｂおよびホームサーバ３００に対してパスワード変更メールを送信するものとする。端末１０ａのユーザは、所定の操作によりそのためのアプリケーションを起動し、パスワード変更の指示を入力する（Ｓ３１）。ここで、本実施の形態では所定の権限を有するユーザのみがパスワード変更メールを発行できるようにするために、端末においてローカルにユーザ認証を行う（Ｓ３２）。このユーザ認証としては前述したように他のパスワードを利用したり、携帯端末の機能が許せば指紋認証等の別の認証方法を利用したりすることができる。そのための前提として各携帯端末において予めステップＳ３２のユーザ認証用パスワードや指紋等を登録しておく必要があるが、この操作は所定の権限を有するものが行う。
【００４８】
ユーザ認証がＯＫであれば、変更後のパスワード（開錠用）の入力を受け付ける（Ｓ３４）。上述のようにして、このパスワードを含む暗号化メールを作成する（Ｓ３５）。このメールのあて先は、パスワード更新の対象となる端末およびホームサーバであり、主題は前述したような所定のキーワードとして、メール送信を行う（Ｓ３６）。パスワードの更新対象に、このメールを作成した端末も含まれる場合には、自端末のメールアドレスもあて先に含めることによって、他の端末と同じ仕組みにより自端末のパスワードの変更を行うことができる。図５に示したパスワード変更用メールの例では、あて先４０１に自端末のメールアドレスを含めている。但し、これに代えて、自端末におけるパスワードの変更は、パスワード変更処理の中で、パスワード変更用メール作成とともに実行するようにしてもよい。この場合にはあて先に自端末のメールアドレスを含める必要はない。
【００４９】
端末１０ｂは、好ましくは、常駐アプリケーションとしてのいわゆる待ち受けアプリケーションとしてメールの受信時に以下の処理を実行する。すなわち、パスワード変更用メールを受信したとき（Ｓ４１）、このメールがパスワード変更を指示するものであるかを判断する（Ｓ４２）。これは上記の例ではメールの主題に所定のキーワードが存在するか否かによって判断できる。この例では、次に、上述したような送信者のチェックを行う（Ｓ４３）。これは送信者４０２のメールアドレスが受信側で予め予定されている（記憶されている）メールアドレスと一致するか否かを確認することにより行える。この認証結果がＯＫであれば（Ｓ４４）、暗号化されたメール内本文から、またはメールに添付された暗号化ファイルから、パスワードを復元する（Ｓ４５）。この復元されたパスワードにより、非接触ＩＣカード内のメモリ２２（図３）に記憶されている現在の開錠用パスワードを更新する（Ｓ４６）。本実施の形態では、開錠用のパスワードを非接触ＩＣカード内のメモリに記憶する例を示したが、端末内の他のメモリに記憶するようにしてもよい。パスワード更新が完了したら、当該パスワード変更用メールを消去する（Ｓ４７）。この消去は必須ではないが、消去を行うことにより現在のパスワードが不正に閲覧されることを防止し、かつ、記憶容量を増加させることができる。メール消去後（または消去前）にユーザにパスワードが変更された旨の報知を行う（Ｓ４８）。この報知は、例えば端末の表示画面６２０上に図１０に示すようなメッセージを表示することにより行える。
【００５０】
なお、端末において、パスワード変更メールの受信時にパスワード変更に先立ってユーザにその旨を報知してユーザの了解を求めるようにしてもよい。
【００５１】
一方、ホームサーバ３００においては、好ましくは常駐アプリケーションが起動されており、メールの受信時に端末における上記処理と同様の処理を実行する。すなわち、パスワード変更用メールを受信したとき（Ｓ５１）、このメールがパスワード変更を指示するものであるかを判断し（Ｓ５２）、さらに、送信者のチェックを行う（Ｓ５３）。この認証結果がＯＫであれば（Ｓ５４）、暗号化されたメール内本文から、またはメールに添付された暗号化ファイルから、パスワードを復元する（Ｓ５５）。この復元されたパスワードにより、記憶装置（図４内の書き換え可能なメモリまたは記憶装置）に記憶されている現在の開錠用パスワードを更新する（Ｓ５６）。パスワード更新が完了したら、当該パスワード変更用メールを消去する（Ｓ５７）。また、サーバ管理者にパスワードが変更された旨の報知を行う（Ｓ５８）。
【００５２】
図１１は、図１に示したシステムにおける開錠用パスワードの具体的な変更例を示している。まず、時点ｔ０において、端末１０ａ，１０ｂ，１０ｃおよびホームサーバにパスワードＰＷ１が保存されているものとする。このとき、端末１０ｄはまだメンバとして登録されていない。時点ｔ１において端末１０ｄが新たにメンバに加わったので、いずれかの端末（例えば端末１０ａ）またはホームサーバから、パスワードを新たなパスワードＰＷ２としたパスワード変更メールを全端末およびホームサーバに送信することによって、端末１０ｄも開錠用の合い鍵として利用することができるようになる。上記と異なり、時点ｔ１において、パスワードをＰＷ１としたパスワード変更メールを端末１０ｄに送信することによっても、端末１０ｄを開錠用の合い鍵として利用することができるようになる。しかし、この場合、現在利用されているパスワードが何であるかを記憶しておくか、確認することが必要となるので、全端末およびホームサーバのパスワードを新たなものに更新する方が好ましい。
【００５３】
時点ｔ２で端末１０ｃの紛失が発覚したとする。このとき、いずれかの端末またはホームサーバから端末１０ｃを除く他の端末（端末１０ａ，１０ｂ，１０ｄ）およびホームサーバ３００に対して、パスワードを新たなパスワードＰＷ３としたパスワード変更メールを送信する。これによって、送信先のパスワードがパスワードＰＷ３に更新される。メールのあて先とならなかった端末１０ｃのパスワードは古いパスワードＰＷ２のままであり、この端末をドアに接近させて開錠を行おうとしても、ホームサーバに保存されているパスワードＰＷ３に不一致となるため、開錠ができない。
【００５４】
その後、端末１０ｃが正当なユーザの手元に戻ったとき、パスワードを新たなパスワードＰＷ４とするパスワード変更メールを全端末およびホームサーバに送信することにより、端末１０ｃの合い鍵機能を復活させることができる。
【００５５】
以上、本発明の好適な実施の形態について説明したが、上記で言及した以外にも種々の変形、変更を行うことが可能である。
【００５６】
例えば、図８のステップＳ１２、Ｓ２１の非接触ＩＣカード機能による個人認証は実行することが好ましいが、本発明において必ずしも必須の要素ではない。この場合、セキュリティは二重ではなくパスワード照合のみによるセキュリティとなるが、従来のパスワード利用の形態に比べて、なお、利用時のユーザのパスワード入力は必要なく、かつ、パスワード変更も容易であるという利点がある。
【００５７】
上記実施の形態では、家屋のドアの施錠・開錠について説明したが、本発明は家屋、ビル等のドアへの適用に限るものではなく、車や収納装置等の任意の施錠対象について適用することが可能である。
【００５８】
錠システムにおける携帯端末の個数は複数の場合について説明したが、携帯端末が１台の場合でもその紛失時等にホームサーバの開錠用パスワードを変更することにより当該携帯端末の開錠機能を無効にすることが可能である。したがって、本発明における携帯端末の個数は複数に限るものではない。
【図面の簡単な説明】
【００５９】
【図１】本発明の錠システムの概略構成を示す図である。
【図２】当該携帯端末以外の携帯端末およびホームサーバに対して新たなパスワードを含むパスワード変更用メールを送信することにより特定のメンバの携帯端末について開錠機能を停止するパスワードの更新の説明図である。
【図３】本発明の非接触ＩＣカード機能を実装した携帯端末の一例としての携帯電話機のブロック構成図である。
【図４】ホームサーバのハードウェア構成の概略を示すブロック図である。
【図５】本発明の実施の形態におけるパスワード変更用メールの内容例を示す図である。
【図６】本発明の実施の形態におけるパスワード変更用メールの作成のためのユーザインタフェース画面の例を示す図である。
【図７】図６の画面に続くユーザインタフェース画面の例を示す図である。
【図８】本発明の実施の形態におけるキー情報照合のために、携帯端末と、リーダライタ部およびホームサーバの処理および通信の手順を示したフローチャートである。
【図９】パスワード変更時の複数の端末およびホームサーバの動作例を表したフローチャートである。
【図１０】本発明の実施の形態においてパスワードが変更された旨の報知するメッセージ例を示す表示画面の図である。
【図１１】図１に示したシステムにおける開錠用パスワードの具体的な変更例を示した図である。
【符号の説明】
【００６０】
５…制御部、１０…携帯端末、１０ａ〜１０ｄ…携帯端末、２０…非接触ＩＣカード部、２２…メモリ、３０…ドア、３１…ロック機構、３２…リーダライタ部、３００…ホームサーバ、４００…パスワード変更用メール
【図１】
2005307456.tif 000003
【図２】
2005307456.tif 000004
【図３】
2005307456.tif 000005
【図４】
2005307456.tif 000006
【図５】
2005307456.tif 000007
【図６】
2005307456.tif 000008
【図７】
2005307456.tif 000009
【図８】
2005307456.tif 000010
【図９】
2005307456.tif 000011
【図１０】
2005307456.tif 000012
【図１１】
2005307456.tif 000013